Podtech/llm-jp-corpus-v4-ja_patent huggingface dataset:
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
下記式（１）で表される化合物、又はその互変異性体。
【化１】
2016053020.tif 000001
（式（１）中、
Ｘ，Ｙ，Ｚは、それぞれ独立に、−Ｏ−、メチレン基、−ＮＲ４−のいずれかである。
Ｒ４は水素または炭素数１〜４の直鎖または分岐のアルキル基を示す。
Ｒ１は置換または無置換のフェニル基、多環芳香族基、若しくは、複素環基を示す。
Ｒ２は水素原子、置換または無置換のフェニル基、アラルキル基、炭素数１〜１８の直鎖、分岐または環状のアルキル基、若しくは、炭素数１〜１８のアルキル基のメチレン基がエーテル結合、エステル結合、またはアミド結合に置き換えて導かれる１価の基を示す。
Ｒ３は置換または無置換のフェニレン基、炭素数１〜１８の直鎖、分岐または環状のアルキレン基、若しくは、炭素数１〜１８のアルキレン基の主鎖中のメチレン基がエーテル結合、エステル結合、またはアミド結合に置き換えて導かれる２価の基を示す。
Ｗは、ポリマー部に導入可能な反応性基または重合性官能基を示す。
前記置換フェニル基の置換基、前記置換フェニレン基の置換基は、メチル基、メトキシ基、ヒドロキシ基、ニトロ基、クロロ基、カルボキシ基、アミノ基、ジメチルアミノ基、カルボン酸アミド基またはウレイド基である。
前記多環芳香族基は、ナフタレン、アントラセン、フェナントレンまたはアントラキノンから水素原子１つ除いて導かれる基である。
前記複素環基は、イミダゾール、オキサゾール、チアゾール、ピリジン、インドール、ベンズイミダゾール、ベンズイミダゾリノンまたはフタルイミドから水素原子１つ除いて導かれる基である。）
【請求項２】
前記式（１）で表される化合物が、下記式（２）で表される化合物、又はその互変異性体である請求項１に記載の化合物。
【化２】
2016053020.tif 000002
（前記式（２）中、
Ｒ５は、炭素数２〜１２のアルキル基又はベンジル基を示す。
Ｒ６は、炭素数２〜４のアルキレン基を示す。
Ｗ２は、アミノ基、アクリロイルオキシ基、メタクリロイルオキシ基、アクリロイルアミノ基、またはメタクリロイルアミノ基を示す。）
【請求項３】
前記式（２）中、Ｗ２は、アクリロイルオキシ基またはメタクリロイルオキシ基である請求項２に記載の化合物。
【請求項４】
前記式（２）中のＲ５が、炭素数２〜８のアルキル基である請求項２または３に記載の化合物。
【請求項５】
下記式（Ａ６）で示される化合物。
【化３】
2016053020.tif 000003
【請求項６】
下記式（３）で表される構造又はその互変異性体が、ポリマー部と結合した構造を有する分散剤。
【化４】
2016053020.tif 000004
（式（３）中、
Ｘ２，Ｙ２，Ｚ２は、それぞれ独立に、−Ｏ−、メチレン基、−ＮＲ１０−のいずれかである。
Ｒ１０は水素または炭素数１〜４の直鎖または分岐のアルキル基を示す。Ｒ７は置換または無置換のフェニル基、多環芳香族基、若しくは、複素環基を示す。Ｒ８は水素原子、置換または無置換のフェニル基、アラルキル基、炭素数１〜１８の直鎖、分岐または環状のアルキル基、若しくは、炭素数１〜１８のアルキル基のメチレン基がエーテル結合、エステル結合、またはアミド結合に置き換えて導かれる１価の基を示す。
Ｒ９は置換または無置換のフェニレン基、炭素数１〜１８の直鎖、分岐または環状のアルキレン基、若しくは、炭素数１〜１８のアルキレン基の主鎖中のメチレン基がエーテル結合、エステル結合、またはアミド結合に置き換えて導かれる２価の基を示す。
Ｗ３は、ポリマー部との連結部を示す。
前記置換フェニル基の置換基、前記置換フェニレン基の置換基は、メチル基、メトキシ基、ヒドロキシ基、ニトロ基、クロロ基、カルボキシ基、アミノ基、ジメチルアミノ基、カルボン酸アミド基またはウレイド基である。
前記多環芳香族基は、ナフタレン、アントラセン、フェナントレンまたはアントラキノンから水素原子１つ除いて導かれる基である。
前記複素環基は、イミダゾール、オキサゾール、チアゾール、ピリジン、インドール、ベンズイミダゾール、ベンズイミダゾリノンまたはフタルイミドから水素原子１つ除いて導かれる基である。）
【請求項７】
前記式（３）で表される構造が、下記式（４）で表わされる構造又はその互変異性体である請求項６に記載の分散剤。
【化５】
2016053020.tif 000005
（式（４）中、
Ｒ１１は、炭素数２〜１２のアルキル基又はベンジル基を示す。
Ｒ１２は、炭素数２〜４のアルキレン基を示す。
Ｗ４は、ポリマー部との連結部を示し、前記連結部は、エステル結合またはアミド結合である。）
【請求項８】
前記Ｒ１１が炭素数２〜８のアルキル基であることを特徴とする請求項７に記載の分散剤。
【請求項９】
前記ポリマー部が、ビニル系共重合体構造またはポリエステル構造を有する請求項６乃至８のいずれか１項に記載の分散剤。
【請求項１０】
前記ビニル系共重合体構造が、
芳香族ビニルモノマーである化合物Ｂに由来するユニットＢ、及び
アクリル酸系モノマー又はメタクリル酸系モノマーである化合物Ｃに由来するユニットＣ
の少なくとも一方を有する請求項９に記載の分散剤。
【請求項１１】
前記分散剤が下記式（５）の関係を満たす請求項１０に記載の分散剤。
０．０１≦ａ／（ｂ＋ｃ）≦２．００    ・・・（５）
（式（５）中、
ａは、前記式（３）で表わされる構造の含有量（モル部）を示す。
ｂは、前記化合物Ｂの分子量を基準とする前記ユニットＢの含有量（モル部）を示す。
ｃは、前記化合物Ｃの分子量を基準とする前記ユニットＣの含有量（モル部）を示す。）
【請求項１２】
下記式（９）で表わされる構造が、ポリマー部と結合した構造を有する分散剤。
【化６】
2016053020.tif 000006
（式（９）中、Ｗ４は、ポリマー部との連結部を示し、前記連結部は、エステル結合である。）
【請求項１３】
結着樹脂、色材、分散剤を含有するトナー粒子を有するトナーであって、
前記分散剤が、請求項６乃至１２のいずれか１項に記載の分散剤であることを特徴とするトナー。
【手続補正２】
【補正対象書類名】明細書
【補正対象項目名】００９８
【補正方法】変更
【補正の内容】
【００９８】
【表５】
2016053020.tif 000007
ＣＢ：カーボンブラック
Ｐｉｇ１：Ｃ．Ｉ．ピグメントレッド１２２
Ｐｉｇ２：Ｃ．Ｉ．ビグメントブルー１５：３
Ｐｉｇ３：Ｃ．Ｉ．ピグメントイエロー１５５
【手続補正３】
【補正対象書類名】明細書
【補正対象項目名】０１０８
【補正方法】変更
【補正の内容】
【０１０８】
【表７】
2016053020.tif 000008
ＣＢ：カーボンブラック
Ｐｉｇ１：Ｃ．Ｉ．ピグメントレッド１２２
Ｐｉｇ２：Ｃ．Ｉ．ビグメントブルー１５：３
Ｐｉｇ３：Ｃ．Ｉ．ピグメントイエロー１５５
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
糖尿病性腎症を有するヒト対象において糖尿病性腎症を治療する方法における使用のための、アトラセンタンまたはその塩を、アンギオテンシン変換酵素阻害剤またはアンギオテンシンＩＩ受容体遮断剤と組み合わせてなる薬物であって、
前記方法は、アトラセンタンまたはその塩、およびアンギオテンシン変換酵素阻害剤またはアンギオテンシンＩＩ受容体遮断剤の少なくとも一つの、用量を対象に投与することを含む、前記薬物。
【請求項２】
方法が糖尿病性腎症の進行を遅延させる、請求項１に記載の薬物。
【請求項３】
方法が、アンギオテンシン変換酵素阻害剤またはアンギオテンシンＩＩ受容体遮断剤の用量を、ヒト対象における最も高い耐用量で投与することを含む、請求項１または２に記載の薬物。
【請求項４】
対象が顕性期の糖尿病性腎症を有する、請求項１から３のいずれかに記載の薬物。
【請求項５】
方法が、アトラセンタンまたはその塩を少なくとも３ヶ月の期間投与することを含む、請求項１から４のいずれかに記載の薬物。
【請求項６】
アトラセンタンまたはその塩がアンギオテンシン変換酵素阻害剤またはアンギオテンシンＩＩ受容体遮断剤と共に投与される、請求項１から５のいずれかに記載の薬物。
【請求項７】
方法が、糖尿病性腎症の１種類以上の形態学的マーカーにおいて有益な作用をもたらすことを含む、請求項１から６のいずれかに記載の薬物。
【請求項８】
糖尿病性腎症の形態学的マーカーが、糸球体硬化である、請求項７に記載の薬物。
【請求項９】
方法が、アルブミン尿、糸球体濾過率（ＧＦＲ）またはクレアチニンクリアランスにより示される腎機能において有益な作用をもたらすことをさらに含む、請求項１から８のいずれかに記載の薬物。
【請求項１０】
方法が、末期腎臓病または慢性腎不全までの時間を延長させることをさらに含む、請求項１から９のいずれかに記載の薬物。
【請求項１１】
アンギオテンシン変換酵素阻害剤が、ベナゼプリル、カプトプリル、エナラプリル、フォシノプリル、リシノプリル、モエキシプリル、ペリンドプリル、キナプリル、ラミプリル、トランドラプリルおよびそれらの組み合わせからなるグループから選択される、請求項１から１０のいずれかに記載の薬物。
【請求項１２】
アンギオテンシンＩＩ受容体遮断剤が、カンデサルタン、エプロサルタン、イルベサルタン、ロサルタン、オルメサルタン、タソサルタン、テルミサルタン、バルサルタンおよびそれらの組み合わせからなるグループから選択される、請求項１から１１のいずれかに記載の薬物。
【請求項１３】
アトラセンタンまたはその塩と、さらに、クロロチアジド、クロルタリドン、ヒドロクロロチアジド、インダパミド、メトラゾン、ポリチアジド、ブメタニド、フロセミド、トルセミドおよびそれらの組み合わせからなるグループから選択される利尿剤とを組み合わせてなる、請求項１から１２のいずれかに記載の薬物。
【請求項１４】
ヒト対象が２型糖尿病と診断されている、請求項１から１３のいずれかに記載の薬物。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
担体タンパク質とコンジュゲートしている単離された黄色ブドウ球菌（Ｓｔａｐｈｙｌｏｃｏｃｃｕｓ  ａｕｒｅｕｓ）莢膜多糖を含む免疫原性の多糖タンパク質コンジュゲートを製造する方法であって、
ａ）単離された黄色ブドウ球菌（Ｓ．ａｕｒｅｕｓ）莢膜多糖を有機溶媒中でカルボニルジトリアゾール（ＣＤＴ）と反応させて、活性化された多糖を生じさせるステップと、
ｂ）活性化された多糖を有機溶媒中で担体タンパク質と反応させて、多糖−担体タンパク質コンジュゲートを生じさせるステップとを含み、
黄色ブドウ球菌（Ｓ．ａｕｒｅｕｓ）莢膜多糖担体タンパク質コンジュゲートを含む免疫原性コンジュゲートが生じる方法。
【請求項２】
単離された多糖を凍結乾燥するステップと、凍結乾燥された多糖を有機溶媒に再懸濁するステップとをさらに含む、請求項１に記載の方法。
【請求項３】
活性化された単離多糖が、担体タンパク質と反応させる前に活性化反応から単離される、請求項１または２に記載の方法。
【請求項４】
活性化された血清型多糖を単離するステップが、透析濾過を含む、請求項３に記載の方法。
【請求項５】
ステップｂ）が、
ｉ）単離された活性化された単離多糖を凍結乾燥して、凍結乾燥された活性化された単離多糖を生じさせるステップと、
ｉｉ）担体タンパク質を凍結乾燥して、凍結乾燥された担体タンパク質を生じさせるステップと、
ｉｉｉ）凍結乾燥された活性化された単離多糖および凍結乾燥された担体タンパク質を有機溶媒に再懸濁して、担体タンパク質と混合された活性化された単離多糖を生じさせるステップとを含む、請求項３に記載の方法。
【請求項６】
凍結乾燥の前に、担体タンパク質が、ＮａＣｌに対して透析濾過され、ＮａＣｌ：担体タンパク質のｗ／ｗ比が、約０．５〜約１．５に調整される、請求項５に記載の方法。
【請求項７】
緩衝液中へステップｂ）の反応混合物を希釈し、約２０℃〜約２６℃にて少なくとも４時間にわたって約８．８〜約９．２のｐＨを維持するステップをさらに含む、請求項１から６のいずれかに記載の方法。
【請求項８】
緩衝液中へステップｂ）の反応混合物を希釈し、約２３℃にて少なくとも４時間にわたって約９．０のｐＨを維持するステップを含む、請求項７に記載の方法。
【請求項９】
黄色ブドウ球菌（Ｓ．ａｕｒｅｕｓ）莢膜多糖担体タンパク質コンジュゲートを単離するステップをさらに含む、請求項１から８のいずれかに記載の方法。
【請求項１０】
有機溶媒が、極性非プロトン性溶媒である、請求項１から９のいずれかに記載の方法。
【請求項１１】
極性非プロトン性溶媒が、ジメチルスルホキシド（ＤＭＳＯ）、ジメチルホルムアミド（ＤＭＦ）、ジメチルアセトアミド、Ｎ−メチル−２−ピロリドン、およびヘキサメチルリン酸アミド（ＨＭＰＡ）からなる群から選択される、請求項１０に記載の方法。
【請求項１２】
有機溶媒が、ジメチルスルホキシド（ＤＭＳＯ）である、請求項１１に記載の方法。
【請求項１３】
黄色ブドウ球菌（Ｓ．ａｕｒｅｕｓ）莢膜多糖が血清型５または血清型８莢膜多糖である、請求項１から１２のいずれかに記載の方法。
【請求項１４】
黄色ブドウ球菌（Ｓ．ａｕｒｅｕｓ）莢膜多糖が血清型８莢膜多糖であって、多糖をＣＤＴと反応させるステップが、黄色ブドウ球菌（Ｓ．ａｕｒｅｕｓ）血清型８莢膜多糖中に存在する水を決定するステップと有機溶媒中でＣＤＴ：水の約１：１モル比にＣＤＴ濃度を調整するステップとを含む、請求項１３に記載の方法。
【請求項１５】
ＣＤＴ濃度が有機溶媒中でＣＤＴ：水の約０．７５：１モル比に調整される、請求項１４に記載の方法。
【請求項１６】
ＣＤＴ濃度が有機溶媒中でＣＤＴ：水の約０．５：１モル比に調整される、請求項１５に記載の方法。
【請求項１７】
黄色ブドウ球菌（Ｓ．ａｕｒｅｕｓ）莢膜多糖が血清型５莢膜多糖であって、血清型５多糖をＣＤＴと反応させるステップが、多糖と比較して約２０倍モル過剰のＣＤＴを提供するステップを含む、請求項１３に記載の方法。
【請求項１８】
黄色ブドウ球菌（Ｓ．ａｕｒｅｕｓ）莢膜多糖が血清型５莢膜多糖であって、有機溶媒中の血清型５莢膜多糖およびＣＤＴを含む反応混合物の水濃度を約０．１から０．３％の間に調整する、請求項１３に記載の方法。
【請求項１９】
水濃度が、０．２％に調整される、請求項１８に記載の方法。
【請求項２０】
担体タンパク質が、ＣＲＭ１９７である、請求項１から１９のいずれかに記載の方法。
【請求項２１】
活性化された血清型多糖が、約１：１の重量比でＣＲＭ１９７と反応する、請求項２０に記載の方法。
【請求項２２】
単離された黄色ブドウ球菌（Ｓ．ａｕｒｅｕｓ）莢膜多糖が、有機溶媒中でＣＤＴと混合される前にイミダゾールまたはトリアゾールと混合される、請求項１から２１のいずれかに記載の方法。
【請求項２３】
多糖担体タンパク質コンジュゲートを加水分解して、未反応の活性化基を除去するステップをさらに含む、請求項１から２２のいずれかに記載の方法。
【請求項２４】
請求項１から２３のいずれかに記載の方法により製造される免疫原性コンジュゲート。
【請求項２５】
請求項２４に記載の免疫原性コンジュゲートおよびアジュバント、希釈剤、または担体のうちの少なくとも１つを含む免疫原性組成物。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
筒状部と該筒状部の一端側に位置し、筒状部の周方向外側に向かって突出する鍔部とを有する主体金具と、
前記筒状部の外周に嵌め込まれ、前記鍔部に面する側と反対側に天面を有する環状のウェイトと、
前記筒状部の外周に嵌め込まれ、前記鍔部と前記ウェイトとの間に挟まれる環状の圧電素子と、
前記鍔部と前記圧電素子との間に介在する絶縁体とを備えたノッキングセンサの製造方法であって、
前記筒状部の外周面に、前記筒状部の内面から周方向外側に向かって塑性変形しつつ突出し、前記ウェイトの天面に直接又は他部材を介して接して該ウェイトを係止する突出部を設けるノッキングセンサの製造方法であって、
前記筒状部の外周面にメッキ層が設けられ、
前記突出部を、前記筒状部の内面から周方向外側に向かうプレス加工によって当該筒状部の外周面に形成するノッキングセンサの製造方法。
【請求項２】
前記筒状部の外周面には、ネジ部が形成されていない請求項１記載のノッキングセンサの製造方法。
【請求項３】
前記突出部を軸方向に沿って切断した断面の形状を、周方向外側に向かって凸に湾曲し、かつ滑らかに繋がる凸状曲面にする請求項１又は２記載のノッキングセンサ。
【請求項４】
前記突出部が周方向に３つ以上に分離している請求項１〜３のいずれか一項に記載のノッキングセンサの製造方法。
【請求項５】
前記他部材は皿バネであり、前記皿バネの内周面の角部のうち前記突出部側の角部と前記鍔部側の角部とが前記筒状部の外周面から同じ距離にあるか、又は前記突出部側の角部が前記鍔部側の角部よりも前記筒状部の外周面の近くに配置される請求項１〜４のいずれか一項に記載のノッキングセンサの製造方法。
【手続補正２】
【補正対象書類名】明細書
【補正対象項目名】発明の名称
【補正方法】変更
【補正の内容】
【発明の名称】ノッキングセンサの製造方法
【手続補正３】
【補正対象書類名】明細書
【補正対象項目名】０００１
【補正方法】変更
【補正の内容】
【０００１】
本発明は、圧電素子を用いたノッキングセンサの製造方法に関する。
【手続補正４】
【補正対象書類名】明細書
【補正対象項目名】０００４
【補正方法】変更
【補正の内容】
【０００４】
しかしながら、従来のノッキングセンサは、上述のようにナットを用いてウェイトを主体金具に係止するため、ナットを螺合する際に金属粉が発生し、圧電素子の周囲に付着して、圧電素子と主体金具間との間での絶縁性を低下させるおそれがある。又、ナットの部品コストが高いという問題がある。
そこで、本発明は、製造時の金属粉の発生を防止して圧電素子の絶縁性を確保すると共に、コストを低減したノッキングセンサの製造方法の提供を目的とする。
【手続補正５】
【補正対象書類名】明細書
【補正対象項目名】０００５
【補正方法】変更
【補正の内容】
【０００５】
上記課題を解決するため、本発明のノッキングセンサの製造方法は、筒状部と該筒状部の一端側に位置し、筒状部の周方向外側に向かって突出する鍔部とを有する主体金具と、前記筒状部の外周に嵌め込まれ、前記鍔部に面する側と反対側に天面を有する環状のウェイトと、前記筒状部の外周に嵌め込まれ、前記鍔部と前記ウェイトとの間に挟まれる環状の圧電素子と、前記鍔部と前記圧電素子との間に介在する絶縁体とを備えたノッキングセンサの製造方法であって、前記筒状部の外周面には、前記筒状部の内面から周方向外側に向かって塑性変形しつつ突出し、前記ウェイトの天面に直接又は他部材を介して接して該ウェイトを係止する突出部を設けるノッキングセンサの製造方法であって、前記筒状部の外周面にメッキ層が設けられ、前記突出部を、前記筒状部の内面から周方向外側に向かうプレス加工によって当該筒状部の外周面に形成する。
このノッキングセンサの製造方法によれば、ナットを用いず、筒状部自身の塑性変形によって形成された突出部によってウェイトを主体金具に係止している。これにより、ウェイトを主体金具に係止するにあたってナットを主体金具の筒状部に対して回動させる必要がなく、ナットを螺合する際の金属粉の発生を防止して、圧電素子と主体金具間での絶縁性を良好に確保することができる。又、ナットの部品コストを削減し、コストを低下することができ、安価なノッキングセンサを提供することができる。
また、筒状部の外周面に直接加工を施した場合には、金属粉が発生して当該金属粉が圧電素子の周囲に付着して圧電素子の絶縁性を低下させるおそれがあるが、筒状部の内面を加工することで、仮に金属粉が発生しても筒状部の内面からセンサ外部へ脱落するので、金属粉が圧電素子に付着する不具合を防止することができる。
【手続補正６】
【補正対象書類名】明細書
【補正対象項目名】０００６
【補正方法】変更
【補正の内容】
【０００６】
本発明のノッキングセンサの製造方法では、前記筒状部の外周面にメッキ層が設けられているので、メッキ層により筒状部の外周面を保護して防錆性等が向上する。そして、メッキ層の反対面である筒状部の内面から加工を行うことで、筒状部の外側からメッキ層に直接加工を行う場合に比べてメッキ層への衝撃が小さくなり、メッキ層が剥がれて防錆機能等が低下したり、剥がれたメッキ層が金属粉と共に圧電素子に付着して絶縁性を低下させることを抑制することができる。
【手続補正７】
【補正対象書類名】明細書
【補正対象項目名】０００７
【補正方法】変更
【補正の内容】
【０００７】
本発明のノッキングセンサの製造方法では、前記筒状部の外周面には、ネジ部が形成されていないことが好ましい。
このノッキングセンサの製造方法によれば、筒状部自身の塑性変形によって形成された突出部によってウェイトを主体金具に係止する構成を有するが故に、ナットの主体金具への螺合自体不要となるため、筒状部の外周面にネジ部を設ける必要がなく、製造コストがさらに低下し、よりノッキングセンサを安価に提供することができる。
【手続補正８】
【補正対象書類名】明細書
【補正対象項目名】０００８
【補正方法】変更
【補正の内容】
【０００８】
本発明のノッキングセンサの製造方法では、前記突出部を軸方向に沿って切断した断面の形状を、周方向外側に向かって凸に湾曲し、かつ滑らかに繋がる凸状曲面にすることが好ましい。
このノッキングセンサの製造方法によれば、突出部に角部が生じないので、ノッキングセンサのケースを構成する樹脂モールド材料が突出部の表面に確実に流動し、突出部への樹脂の付き回り性が向上する。又、筒状部の外周面にメッキ層を設ける場合には、突出部に角部が生じないので突出部からメッキ層が剥がれ難くなる。
【手続補正９】
【補正対象書類名】明細書
【補正対象項目名】０００９
【補正方法】変更
【補正の内容】
【０００９】
前記突出部が周方向に３つ以上に分離していることが好ましい。
このノッキングセンサの製造方法によれば、各突出部の周方向の間に切れ目が形成され、ノッキングセンサのケースを構成する樹脂モールド材料が切れ目を通って軸方向に流動するので、突出部への樹脂の付き回り性が向上する。
【手続補正書】
【提出日】平成28年9月8日(2016.9.8)
【手続補正１】
【補正対象書類名】特許請求の範囲
【補正対象項目名】請求項３
【補正方法】変更
【補正の内容】
【請求項３】
請求項２に記載の入退室管理システムにおいて、さらに、
前記ゲストが、訪問予定日時と訪問先の担当者を入力する訪問予約端末を備え、
前記入退管理サーバは、前記訪問予約端末の入力に基づいて、前記入退ＩＤ情報を生成するとともに、前記訪問予約端末に訪問の可否を通知する
ことを特徴とする入退室管理システム。
【手続補正２】
【補正対象書類名】特許請求の範囲
【補正対象項目名】請求項７
【補正方法】変更
【補正の内容】
【請求項７】
請求項１から４のいずれかの１項に記載の入退室管理システムにおいて、
前記入退管理サーバの入退ＩＤ情報は、複数の受入担当者ごとの入退管理区画の通行権限と、複数の前記入退管理区画に共通の入退ＩＤを有し、
前記入退管理サーバは、前記複数の受入担当者ごとの入退管理区画に対応する入退制御端末に、前記入退ＩＤと通行権限を配信する
ことを特徴とする入退室管理システム。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
液浸液体を介して基板を露光する液浸リソグラフィ装置における液体供給方法であって、
投影光学系の光学素子と、その下に位置付けられた基板との間に供給ノズルから液浸液体を供給することと、
前記液浸液体を介して前記基板を露光することと、
前記液浸液体を回収ノズルから回収することと、
前記光学素子と、その下に位置付けられた、前記基板とは異なる面との間に前記供給ノズルから洗浄液体を供給することと、を含む液体供給方法。
【請求項２】
前記光学素子と前記基板とは異なる面との間の前記洗浄液体中に圧力波を発生させることを含む請求項１記載の液体供給方法。
【請求項３】
前記光学素子と前記基板とは異なる面との間の前記洗浄液体は、気泡を含む液体である請求項１に記載の液体供給方法。
【請求項４】
前記洗浄液体中に前記気泡を発生させることを含む請求項３に記載の液体供給方法。
【請求項５】
前記光学素子と前記基板とは異なる面との間に供給された前記洗浄液体を撹拌して、前記洗浄液体中に気泡を発生させる請求項４に記載の液体供給方法。
【請求項６】
前記洗浄液体が供給された状態で紫外線を照射することを含む請求項１〜５のいずれか一項に記載の液体供給方法。
【請求項７】
前記洗浄液体は、パッド上に供給される請求項１〜６のいずれか一項に記載の液体供給方法。
【請求項８】
前記洗浄液体は、前記基板を保持するステージ上に供給される請求項１〜６のいずれか一項に記載の液体供給方法。
【請求項９】
前記洗浄液体は、洗浄デバイス上に供給される請求項１〜６のいずれか一項に記載の液体供給方法。
【請求項１０】
前記洗浄デバイスが、前記基板を保持するステージ上、または前記ステージのホルダ上に取り付けられた状態で、前記洗浄デバイス上に前記洗浄液体が供給される請求項９記載の液体供給方法。
【請求項１１】
液浸リソグラフィにおける光学系の洗浄方法であって、
リソグラフィ用のワークピースをステージ上に位置付け、光学素子を有する投影光学系を前記ワークピースの上方に且つワークピースに対向すると共に前記光学素子とワークピースとの間に隙間が設けられるように位置付けることと、
液浸リソグラフィプロセス中に液浸液体が前記光学素子及び前記ワークピースに接触するように、前記隙間に液浸液体を供給することと、
前記光学素子を洗浄プロセス中に洗浄することとを含む、液浸リソグラフィにおける光学系の洗浄方法。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
主として、下側からは出入容易で、上方を気密に構成したシェルターで有って、主として木造家屋の一部、屋根裏部屋等を津波シェルターにする場合、図６の５７に示す様に斜めのケーブルを設け、下端を地下の基礎に結合し、上端を家屋の上部に接合する事で、先ず地震の負荷を軽減し、其の後の津波の来襲に際しては、津波や河川の洪水は、単なる水流ではなく、破損した家屋の瓦礫や、水面に浮かぶ自動車などが、相当の速度で流れて来るので、衝突工学的対策が必要である為、ケーブルで衝突エネルギーを吸収して、衝突荷重を低減させ、および又は図示されないスプリングや油圧ダンパーなどの衝撃吸収機構を挿入する場合も有り、および又は、ケーブルは日常生活の邪魔になる場合は、柱や基礎に沿わせて格納し、津波に備える場合のみ、図示されない電動ウインチ、又は手動荷締器等で締め上げて、作動状態にする場合も有り、および又は住宅が浮上して流失する事も防ぐ事を特徴とする津波シェルター。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
主として、下側からは出入容易で、上方を気密に構成したシェルターで有って、通常時、ダクトに依り、シェルター内への吸気、排気を行うが、津波来襲時には、シェルター内への海水の浸入を防ぎ、日常の生産や生活に格別の緊張を強いないフォーゲッティーな設計の津波シェルター。
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
平均粒径０．１〜１μｍの銅粉とアルコール系溶剤を含む銅ペーストからなる接合材において、銅粉の含有量が８０〜９５質量％、アルコール系溶剤の含有量が５〜２０質量％であり、アルコール系溶剤がモノアルコール、ジオールまたはテルペン系アルコールとトリオールとを含むことを特徴とする、接合材。
【請求項２】
前記銅粉中に含まれる炭素の含有量が０．３質量％以下であることを特徴とする、請求項１に記載の接合材。
【請求項３】
前記接合材の粘度をレオメーターにより２５℃において５ｒｐｍで測定したときの粘度が１５０Ｐａ・ｓ以下であることを特徴とする、請求項１または２に記載の接合材。
【請求項４】
前記接合材を被接合物間に介在させて加熱することにより、前記接合材中の銅を焼結させて銅接合層を介して被接合物同士を接合したときに、銅接合層の接合面の面積に対してボイドが占める面積の割合が１０％以下であることを特徴とする、請求項１乃至３のいずれかに記載の接合材。
【請求項５】
前記接合材を被接合物間に介在させて加熱することにより、前記接合材中の銅を焼結させて銅接合層を介して被接合物同士を接合したときに、シア強度が６ＭＰａ以上であることを特徴とする、請求項１乃至４のいずれかに記載の接合材。
【請求項６】
請求項１乃至５のいずれかに記載の接合材を被接合物間に介在させて加熱することにより、接合材中の銅を焼結させて銅接合層を形成し、この銅接合層により被接合物同士を接合することを特徴とする、接合方法。
【請求項７】
前記被接合物間に圧力を加えながら前記加熱を行うことを特徴とする、請求項６に記載の接合方法。
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
プレイヤの端末装置と通信可能なサーバ装置の制御方法であって、
複数の第１のゲームで、各第１のゲームにおける第１の条件が達成された場合に前記プレイヤに第１の報酬を付与するステップと、
前記複数の第１のゲームに関連付けられた第２のゲームで、該第２のゲームにおける第２の条件が達成された場合に前記プレイヤに第２の報酬を付与するステップと、
を含む、サーバ装置の制御方法。
【請求項２】
請求項１に記載のサーバ装置の制御方法であって、
前記第２のゲームで前記第２の条件が達成されたか否かの判定は、前記複数の第１のゲームで達成された第１の条件の組み合わせに基づいて行われる、サーバ装置の制御方法。
【請求項３】
請求項２に記載のサーバ装置の制御方法であって、
前記第２のゲームにおける前記第２の条件の達成に必要な、前記複数の第１のゲームにおける複数の第１の条件をそれぞれ含む１以上の組み合わせを設定するステップと、
前記１以上の組み合わせのうち少なくとも１つの組み合わせに含まれる第１の条件が前記複数の第１のゲームで達成された場合に、前記第２のゲームで前記第２の条件が達成されたと判定するステップと、
を更に含む、サーバ装置の制御方法。
【請求項４】
請求項１乃至３の何れか一項に記載のサーバ装置の制御方法であって、
前記第２のゲームは、前記複数の第１のゲームにおける複数の第１の条件を配列させたビンゴゲームである、サーバ装置の制御方法。
【請求項５】
プレイヤの端末装置と通信可能なサーバ装置であって、
複数の第１のゲームで、各第１のゲームにおける第１の条件が達成された場合に前記プレイヤに第１の報酬を付与し、前記複数の第１のゲームに関連付けられた第２のゲームで、該第２のゲームにおける第２の条件が達成された場合に前記プレイヤに第２の報酬を付与する制御部を備える、サーバ装置。
【請求項６】
プレイヤの端末装置と通信可能なサーバ装置に、
複数の第１のゲームで、各第１のゲームにおける第１の条件が達成された場合に前記プレイヤに第１の報酬を付与するステップと、
前記複数の第１のゲームに関連付けられた第２のゲームで、該第２のゲームにおける第２の条件が達成された場合に前記プレイヤに第２の報酬を付与するステップと、
を実行させる、プログラム。
【手続補正２】
【補正対象書類名】明細書
【補正対象項目名】発明の名称
【補正方法】変更
【補正の内容】
【発明の名称】サーバ装置の制御方法、サーバ装置、及びプログラム
【手続補正３】
【補正対象書類名】明細書
【補正対象項目名】０００１
【補正方法】変更
【補正の内容】
【０００１】
本発明は、サーバ装置の制御方法、特に、ソーシャルゲームに参加するプレイヤの集客に効果的なシステムに備わるサーバ装置の制御方法、サーバ装置、及びプログラムに関する。
【手続補正４】
【補正対象書類名】明細書
【補正対象項目名】０００８
【補正方法】変更
【補正の内容】
【０００８】
そこで、本発明はかかる事情に鑑みてなされたものであり、プレイヤのソーシャルゲームへの参加意欲を更に高め、且つ、従来に比して集客効果をより増長させることができるソーシャルゲームシステムに備わるサーバ装置の制御方法、サーバ装置、及びプログラムを提供することを目的とする。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
遊技に必要な電力の供給を行う電源手段と、前記遊技を司る主制御手段と、前記主制御手段と通信可能に接続され、前記主制御手段からの演出に係る演出制御指令に応じた制御処理を行う演出制御手段と、を備え、
前記主制御手段は、
前記電源手段からの電力の供給開始に伴い制御開始処理を実行し、遊技領域に発射された遊技媒体が前記遊技領域を流下して所定の始動領域を通過したことに基づき所定の当否抽選を行い、前記当否抽選に当せんした場合に遊技者に所定の利益状態を付与可能であり、
前記当否抽選には、大当りとなるか否かの大当り抽選を含み、
前記大当り抽選に当せんした場合には特別遊技を実行可能であり、
前記主制御手段には、複数の点灯部を選択的に点灯又は消灯させて前記大当り抽選結果を示す特別図柄の変動表示及び停止表示が可能な点灯表示手段が接続され、
前記主制御手段は、
前記制御開始処理の開始後における所定周期の割込みによって遊技進行のためのタイマ割込み処理を実行し、
前記点灯表示手段に前記特別図柄の表示制御データを作成し、前記表示制御データに基づき、前記点灯表示手段の前記点灯部を駆動するための駆動データを出力するデータ出力部を備え、
前記データ出力部には、前記表示制御データにより指定された前記特別図柄の表示に必要な点灯部指定データを出力する復号化手段を備え、
前記点灯表示手段で前記特別図柄の変動表示が行われる場合に前記復号化手段を介して前記駆動データを作成する一方、
前記点灯表示手段で前記停止表示を行う際には前記復号化手段を使用せずに前記駆動データを作成し、
前記特別図柄の変動表示が行われる場合には、前記タイマ割込み処理内にて更新されるカウンタの値に基づいて、あらかじめ定められた順序にて前記変動表示データが生成されることを特徴とするぱちんこ遊技機。
【手続補正２】
【補正対象書類名】明細書
【補正対象項目名】０００５
【補正方法】変更
【補正の内容】
【０００５】
上記課題を解決するために本発明は、遊技に必要な電力の供給を行う電源手段（電源基板など）と、前記遊技を司る主制御手段（メイン基板など）と、前記主制御手段と通信可能に接続され、前記主制御手段からの演出に係る演出制御指令に応じた制御処理を行う演出制御手段（サブメイン基板、サブサブ基板など）と、を備え、
前記主制御手段は、
前記電源手段からの電力の供給開始に伴い制御開始処理を実行し、遊技領域に発射された遊技媒体が前記遊技領域を流下して所定の始動領域（作動口、第１始動入賞口、第２始動入賞口など）を通過したことに基づき所定の当否抽選を行い、前記当否抽選に当せんした場合に遊技者に所定の利益状態を付与可能であり、
前記当否抽選には、大当りとなるか否かの大当り抽選を含み、
前記大当り抽選に当せんした場合には特別遊技を実行可能であり、
前記主制御手段には、複数の点灯部（７セグ表示体の各セグメントやドット表示体の各ドットなど）を選択的に点灯又は消灯させて前記大当り抽選結果を示す特別図柄の変動表示及び停止表示が可能な点灯表示手段（７セグ表示体やドット表示体など。）が接続され、
前記主制御手段は、
前記制御開始処理の開始後における所定周期の割込みによって遊技進行のためのタイマ割込み処理（遊技進行割込み処理など）を実行し、
前記点灯表示手段に前記特別図柄の表示制御データを作成し、前記表示制御データに基づき、前記点灯表示手段の前記点灯部を駆動するための駆動データを出力するデータ出力部を備え、
前記データ出力部には、前記表示制御データにより指定された前記特別図柄の表示に必要な点灯部指定データ（各セグメントデータなど）を出力する復号化手段（７セグデコーダなど）を備え、
前記点灯表示手段で前記特別図柄の変動表示が行われる場合に前記復号化手段を介して前記駆動データを作成する一方、
前記点灯表示手段で前記停止表示を行う際には前記復号化手段を使用せずに前記駆動データを作成し、
前記特別図柄の変動表示が行われる場合には、前記タイマ割込み処理内にて更新されるカウンタの値に基づいて、あらかじめ定められた順序にて前記変動表示データが生成されることを特徴とするぱちんこ遊技機である。
【手続補正書】
【提出日】平成27年12月17日(2015.12.17)
【手続補正１】
【補正対象書類名】明細書
【補正対象項目名】００４６
【補正方法】変更
【補正の内容】
【００４６】
なお、先端硬質部１３の本体１３Ａは、ステンレス鋼材などの金属材料により形成され、詳細な説明は省略するが、その本体１３Ａには、被観察部位を撮影するための撮像装置を構成する撮像光学系１００及び固体撮像素子１０２や、光源装置からライトガイド１０４を通じて伝送された照明光を被観察部位に照射する照明光出射部（不図示）や、図１の鉗子挿入部１６に連通する鉗子チューブ１０６が接続される鉗子パイプ１０８等が組み付けられる。湾曲部１４の節輪３０の内側及び可撓管部１５の内部には、先端硬質部１３の撮像装置に接続される信号ケーブル１１０や、照明光出射部に接続されるライトガイド１０４、鉗子パイプ１０８に接続される鉗子チューブ１０６、送気チューブ等が挿通配置される。
【手続補正書】
【提出日】平成27年12月17日(2015.12.17)
【手続補正１】
【補正対象書類名】明細書
【補正対象項目名】００５８
【補正方法】変更
【補正の内容】
【００５８】
照明光学系は、光源装置１９と、光源装置１９にコネクタ２９Ａを介して接続される一対の光ファイバ５５Ａ、５５Ｂと、光ファイバ５５Ａ、５５Ｂの光出射端にそれぞれ配置した波長変換部材５７Ａ、５７Ｂとを有する。光源装置１９は、半導体発光素子であるレーザ光源ＬＤと、レーザ光源ＬＤからの出射光を分波して各光ファイバ５５Ａ、５５Ｂに導入する光カプラ６１とを有する。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
本体部材と、この本体部材に開閉可能に支持されて、機前面側を構成する前面部材とを備えた遊技機において、
前記前面部材に配設され、密閉型のエンクロージャーを有する第１のスピーカーユニットと、
前記前面部材に配設され、バスレフ型のエンクロージャーを有する第２のスピーカーユニットとを備え、
前記第１のスピーカーユニットと前記第２のスピーカーユニットとが、前記前面部材の上部と下部とに分けて配置された
ことを特徴とする遊技機。
【請求項２】
前記第１のスピーカーユニットは、前記前面部材の上部に配設されると共に、前記第２のスピーカーユニットは、該前面部材の下部に配設される請求項１記載の遊技機。
【請求項３】
前記前面部材は、遊技に関する演出表示がなされる表示部が該前面部材の裏側から臨む可視部を有し、
前記第１のスピーカーユニットは、前記前面部材において前記可視部の上側に配設され、
前記第１のスピーカーユニットのエンクロージャーは、前後方向よりも前記可視部の縁辺に沿って広くなるように形成された請求項１または２記載の遊技機。
【請求項４】
前記第１のスピーカーユニットのエンクロージャーは、前側に指向させて配設されるスピーカーの設置面よりも前側へ膨出形成された膨出部を備え、当該膨出部の内側に形成される空間が、当該エンクロージャーにおいてスピーカーが臨む空気室の一部を形成するよう構成された請求項１〜３の何れか一項に記載の遊技機。
【請求項５】
前記第２のスピーカーユニットのエンクロージャーは、端面を互いに当接させて組み合わせた複数の構成体で箱状に構成されると共に、該構成体間に画成される取付開口に周面を嵌め合わせて配設され、該エンクロージャーの内外に連通する筒状のダクトを有し、
前記ダクトの周面から半径方向外側に延出して前記取付開口の開口縁に重なる鍔部により、ダクトと構成体との間を封止する封止構造を備えた請求項１〜４の何れか一項に記載の遊技機。
【手続補正２】
【補正対象書類名】明細書
【補正対象項目名】０００９
【補正方法】変更
【補正の内容】
【０００９】
請求項３に係る発明では、前記前面部材(13)は、遊技に関する演出表示がなされる表示部(68)が該前面部材(13)の裏側から臨む可視部(35)を有し、
前記第１のスピーカーユニット(50A,50B)は、前記前面部材(13)において前記可視部(35)の上側に配設され、
前記第１のスピーカーユニット(50A,50B)のエンクロージャー(54A,54B)は、前後方向よりも前記可視部(35)の縁辺に沿って広くなるように形成されたことを要旨とする。
請求項３に係る発明によれば、第１のスピーカーユニットは、可視部の上部スペースを有効利用して、エンクロージャーの内容積を確保することができる。すなわち、エンクロージャーの内容積を確保するために、前面部材の裏面からのエンクロージャーの突出を抑えることができ、本体部材側との取り合いの発生を回避できる。
【手続補正３】
【補正対象書類名】明細書
【補正対象項目名】００１０
【補正方法】変更
【補正の内容】
【００１０】
請求項４に係る発明では、前記第１のスピーカーユニット(50A,50B)のエンクロージャー(54A,54B)は、前側に指向させて配設されるスピーカー(52A,52B)の設置面よりも前側へ膨出形成された膨出部(63)を備え、当該膨出部(63)の内側に形成される空間が、当該エンクロージャー(54A,54B)においてスピーカー(52A,52B)が臨む空気室(57)の一部を形成するよう構成されたことを要旨とする。
請求項４に係る発明によれば、第１のスピーカーユニットは、前面部材における前側の空間を利用して前側へ膨らむ膨出部によって、エンクロージャーの内容積を確保することができる。すなわち、エンクロージャーの内容積を確保するために、前面部材の裏面からのエンクロージャーの突出を抑えることができ、本体部材側との取り合いの発生を回避できる。
【手続補正４】
【補正対象書類名】明細書
【補正対象項目名】００１１
【補正方法】変更
【補正の内容】
【００１１】
請求項５に係る発明では、前記第２のスピーカーユニット(100)のエンクロージャー(104)は、端面を互いに当接させて組み合わせた複数の構成体(108,110)で箱状に構成されると共に、該構成体(108,110)間に画成される取付開口(112)に周面を嵌め合わせて配設され、該エンクロージャー(104)の内外に連通する筒状のダクト(114)を有し、
前記ダクト(114)の周面から半径方向外側に延出して前記取付開口(112)の開口縁に重なる鍔部(132)により、ダクト(114)と構成体(108,110)との間を封止する封止構造を備えたことを要旨とする。
請求項５に係る発明によれば、バスレフ型のエンクロージャーにおいてダクトを該エンクロージャーを構成する構成体と別体に形成しても、ダクトの周面に延出形成されて取付開口の開口縁に重なる鍔部による封止構造によって、構成体とダクトとの間が封止されているので、ダクトと構成体との間からの音漏れを防止することができる。これにより、バスレフ型のエンクロージャーによる音響作用を適切に発揮でき、第２のスピーカーユニットの音質を向上させることができる。
【手続補正５】
【補正対象書類名】明細書
【補正対象項目名】０１２１
【補正方法】変更
【補正の内容】
【０１２１】
１２ 中枠(本体部材)
１３ 前枠(前面部材)
３５ 窓口(可視部)
５０Ａ 第１上部スピーカーユニット(第１のスピーカーユニット)
５０Ｂ 第２上部スピーカーユニット(第１のスピーカーユニット)
５２Ａ 第１上部スピーカー(スピーカー)
５２Ｂ 第２上部スピーカー(スピーカー)
５４Ａ 第１上部エンクロージャー(エンクロージャー)
５４Ｂ 第２上部エンクロージャー(エンクロージャー)
５７ 空気室
６３ 膨出部
６８ 表示部
１００ 下部スピーカーユニット(第２のスピーカーユニット)
１０４ 下部エンクロージャー(エンクロージャー)
１０８ 第１構成体(構成体)
１１０ 第２構成体(構成体)
１１２ 取付開口
１１４ ダクト
１３２  封止鍔部(鍔部)
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
発作性夜間血色素尿症（ＰＮＨ）に罹患した患者の処置において使用するための医薬組成物であって、３０ｍｌの１０ｍｇエクリズマブ／ｍＬの無菌無保存剤溶液を含む３００ｍｇのエクリズマブの単回使用剤形である、医薬組成物。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
噴霧乾燥により懸濁液中のジケトピペラジン微粒子を乾燥させ、乾燥粉末を形成させるステップ；を含む、
凍結乾燥により溶媒を取り除くことにより得られる乾燥粉末と比較して改善された薬剤学的特性を備えた乾燥粉末医薬の調製方法。
【請求項２】
前記改善された薬剤学的特性が、粉末の増加した密度を含む、請求項１に記載の方法。
【請求項３】
前記増加した密度が、前記凍結乾燥により溶媒を取り除くことにより得られる乾燥粉末の１．７から２．３倍である、請求項２に記載の方法。
【請求項４】
前記増加した密度が、より大きいタップ密度を含む、請求項３に記載の方法。
【請求項５】
前記増加した密度が、より大きいかさ密度を含む、請求項３に記載の方法。
【請求項６】
前記より大きいタップ密度が、０．２５から０．３０ｇ／ｃｃである、請求項４に記載の方法。
【請求項７】
前記より大きいかさ密度が、０．１５から０．２０ｇ／ｃｃである、請求項５に記載の方法。
【請求項８】
前記改善された薬剤学的特性が、改善された空気力学的性能を含む、請求項１に記載の方法。
【請求項９】
前記改善された空気力学的性能が、カートリッジフィル上の増加した呼吸性分画を含む、請求項８に記載の方法。
【請求項１０】
前記呼吸性分画が約４０％を超える、請求項９に記載の方法。
【請求項１１】
前記呼吸性分画が約５０％を超える、請求項１０に記載の方法。
【請求項１２】
前記呼吸性分画が約６０％を超える、請求項１１に記載の方法。
【請求項１３】
前記ジケトピペラジンは、化学式３，６−ジ（４−Ｘ−アミノブチル）−２，５−ジケトピペラジンを有するジケトピペラジンであって、Ｘはスクシニル、グルタリル、マレイル、及びフマリルより成る群から選択される、請求項１から１２のいずれか一項に記載の方法。
【請求項１４】
Ｘがフマリルである、請求項１３に記載の方法。
【請求項１５】
前記微粒子が、活性薬剤を含む、請求項１から１４のいずれか一項に記載の方法。
【請求項１６】
前記活性薬剤が、カルシトニン、副甲状腺ホルモン１−３４、副甲状腺ホルモンの生理活性フラグメント、オクトレオチド、ロイプロリド、並びにＲＳＶペプチド、フェルバメイト、カンナビノイドアンタゴニスト及び／又はアゴニスト、ムスカリンアンタゴニスト及び／又はアゴニスト、ヘパリン、低分子量ヘパリン、クロモリン、シルデナフィル、バルデナフィル、タダラフィル、成長ホルモン、ＡＺＴ、ＤＤＩ、ＧＣＳＦ、ラモトリジン、絨毛性ゴナドトロピン放出因子、黄体形成放出ホルモン、β−ガラクトシダーゼ、エキセンディン１−４、グレリン、及びこれらのフラグメントより成る群から選択される、請求項１５に記載の方法。
【請求項１７】
前記活性薬剤が、インシュリン又はその類似体である、請求項１５に記載の方法。
【請求項１８】
前記改善された薬剤学的特性が、前記活性薬剤の改善された安定性をさらに含む、請求項１５から１７のいずれか一項に記載の方法。
【請求項１９】
請求項１から１８のいずれか一項に記載の方法で調製された乾燥粉末。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
一般式
【化１】
2016034953.tif 000001
「式中、Ｒ１は、置換されていてもよいＣ１−６アルキル基を；Ｒ２およびＲ３の一方は、水素原子を；Ｒ２およびＲ３の他方は、水素原子、置換されていてもよいアミノ基、置換されていてもよいアシルアミノ基、置換されていてもよいカルバモイル基または置換されていてもよいアリール基を示す。」で表されるベンゾピラン誘導体またはその塩を含有することを特徴とするマクロファージ遊走阻止因子阻害剤。
【請求項２】
Ｒ２およびＲ３の一方が、水素原子；Ｒ２およびＲ３の他方が、置換されていてもよいアシルアミノ基である請求項１に記載のマクロファージ遊走阻止因子阻害剤。
【請求項３】
ベンゾピラン誘導体が、Ｎ−［７−［（メチルスルホニル）アミノ］−４−オキソ−６−フェノキシ−４Ｈ−１−ベンゾピラン−３−イル］ホルムアミド、Ｎ−（３−アミノ−４−オキソ−６−フェノキシ−４Ｈ−１−ベンゾピラン−７−イル）メタンスルホンアミド、Ｎ−［７−［（メチルスルホニル）アミノ］−４−オキソ−６−フェノキシ−４Ｈ−１−ベンゾピラン−３−イル］アセトアミド、Ｎ−（４−オキソ−６−フェノキシ−４Ｈ−１−ベンゾピラン−７−イル）メタンスルホンアミド、７−［（メチルスルホニル）アミノ］−４−オキソ−６−フェノキシ−４Ｈ−１−ベンゾピラン−２−カルボキサミド、Ｎ−［７−［（メチルスルホニル）アミノ］−４−オキソ−６−フェノキシ−４Ｈ−１−ベンゾピラン−２−イル］アセトアミド、７−［（メチルスルホニル）アミノ］−４−オキソ−６−フェノキシ−４Ｈ−１−ベンゾピラン−３−カルボキサミド、Ｎ−［７−［（エチルスルホニル）アミノ］−４−オキソ−６−フェノキシ−４Ｈ−１−ベンゾピラン−３−イル］ホルムアミドまたはＮ−（４−オキソ−６−フェノキシ−２−フェニル−４Ｈ−１−ベンゾピラン−７−イル）メタンスルホンアミドである請求項１に記載のマクロファージ遊走阻止因子阻害剤。
【請求項４】
ベンゾピラン誘導体が、Ｎ−［７−［（メチルスルホニル）アミノ］−４−オキソ−６−フェノキシ−４Ｈ−１−ベンゾピラン−３−イル］ホルムアミドである請求項１に記載のマクロファージ遊走阻止因子阻害剤。
【請求項５】
一般式
【化２】
2016034953.tif 000002
「式中、Ｒ１は、置換されていてもよいＣ１−６アルキル基を；Ｒ２およびＲ３の一方は、水素原子を；Ｒ２およびＲ３の他方は、水素原子、置換されていてもよいアミノ基、置換されていてもよいアシルアミノ基、置換されていてもよいカルバモイル基または置換されていてもよいアリール基を示す。」で表されるベンゾピラン誘導体またはその塩を含有することを特徴とする神経障害性疼痛処置剤。
【請求項６】
Ｒ２およびＲ３の一方が、水素原子；Ｒ２およびＲ３の他方が、置換されていてもよいアシルアミノ基である請求項５に記載の神経障害性疼痛処置剤。
【請求項７】
ベンゾピラン誘導体が、Ｎ−［７−［（メチルスルホニル）アミノ］−４−オキソ−６−フェノキシ−４Ｈ−１−ベンゾピラン−３−イル］ホルムアミド、Ｎ−（３−アミノ−４−オキソ−６−フェノキシ−４Ｈ−１−ベンゾピラン−７−イル）メタンスルホンアミド、Ｎ−［７−［（メチルスルホニル）アミノ］−４−オキソ−６−フェノキシ−４Ｈ−１−ベンゾピラン−３−イル］アセトアミド、Ｎ−（４−オキソ−６−フェノキシ−４Ｈ−１−ベンゾピラン−７−イル）メタンスルホンアミド、７−［（メチルスルホニル）アミノ］−４−オキソ−６−フェノキシ−４Ｈ−１−ベンゾピラン−２−カルボキサミド、Ｎ−［７−［（メチルスルホニル）アミノ］−４−オキソ−６−フェノキシ−４Ｈ−１−ベンゾピラン−２−イル］アセトアミド、７−［（メチルスルホニル）アミノ］−４−オキソ−６−フェノキシ−４Ｈ−１−ベンゾピラン−３−カルボキサミド、Ｎ−［７−［（エチルスルホニル）アミノ］−４−オキソ−６−フェノキシ−４Ｈ−１−ベンゾピラン−３−イル］ホルムアミドまたはＮ−（４−オキソ−６−フェノキシ−２−フェニル−４Ｈ−１−ベンゾピラン−７−イル）メタンスルホンアミドである請求項５に記載の神経障害性疼痛処置剤。
【請求項８】
ベンゾピラン誘導体が、Ｎ−［７−［（メチルスルホニル）アミノ］−４−オキソ−６−フェノキシ−４Ｈ−１−ベンゾピラン−３−イル］ホルムアミドである請求項５に記載の神経障害性疼痛処置剤。
【請求項９】
神経障害性疼痛が、線維筋痛症、帯状疱疹後疼痛、糖尿病性神経障害、脊髄損傷後疼痛、脳卒中後疼痛、慢性疼痛、複合性局所疼痛症候群、ＮＳＡＩＤｓが効果不十分な腰痛、坐骨神経痛、骨盤痛、三叉神経痛、ＮＳＡＩＤｓが効果不十分な変形性関節症痛、求心路遮断性疼痛症候群、筋炎に伴う疼痛、筋膜炎に伴う疼痛または血清反応陰性関節炎に伴う疼痛である、請求項５〜８のいずれか一項に記載の神経障害性疼痛処置剤。